(57)【要約】【課題】階段を利用する人が歩行する際に、防滑テープなど設けることなく滑り止めに効果があり、しかも例えば、昇り優先、下り優先などの案内情報としての機能が付与された階段用タイルカーペットを提供することを目的とする。【解決手段】基布にパイル糸が植設されたパイル布帛からなる表面パイル層とバッキング層が接着一体化されてなるタイルカーペットにおいて、タイルカーペットの少なくとも一部に、前記タイルカーペットの面を図形、文字あるいは模様の形状で厚み方向に打ち抜いた部分に、打ち抜かれたタイルカーペットの裏面を表側として嵌め込んで、嵌め込み部が形成されたことを特徴とする階段用タイルカーペット。【選択図】図１
2014100195.tif 000002
【特許請求の範囲】
【請求項１】
基布にパイル糸が植設されたパイル布帛からなる表面パイル層とバッキング層が接着一体化されてなるタイルカーペットにおいて、タイルカーペットの少なくとも一部に、前記タイルカーペットの面を図形、文字あるいは模様の形状で厚み方向に打ち抜いた部分に、打ち抜かれたタイルカーペットの裏面を表側として嵌め込んで、嵌め込み部が形成されたことを特徴とする階段用タイルカーペット。
【発明の詳細な説明】
【技術分野】
【０００１】
本発明は、オフィスビルなどの各種階段に敷設するカーペットに関する。さらに詳しくは防滑機能を有する階段用タイルカーペットに関する。
【背景技術】
【０００２】
従来、階段の踏み面を覆うように樹脂製あるいは合成ゴム製の階段用床シートが施設され、階段の踏み面に貼られている。（例えば特許文献１）
【０００３】
また、オフィスビル等ではタイルカーペットが敷設され、美観や快適性を高めている。さらに、階段にもカーペットが敷設され階段の昇降時の騒音を軽減する役割を果たしている。（例えば特許文献２）
【０００４】
しかしながら、階段に敷設されるカーペットには、少なくとも表面のパイル層が滑り難いことから、それ以上に積極的に防滑性を付与しようとういものは見られなかった。
【先行技術文献】
【特許文献】
【０００５】
【特許文献１】特開平１１−７１８７７公報
【特許文献２】特開平５−１２４１４５公報
【発明の概要】
【発明が解決しようとする課題】
【０００６】
本発明は、かかる技術的背景に鑑みてなされたものであって、階段を利用する人が歩行する際に、防滑テープなど設けることなく滑り止めに効果があり、しかも例えば、昇り優先、下り優先などの案内情報としての機能が付与された階段用タイルカーペットを提供することを目的とする。
【課題を解決するための手段】
【０００７】
前記目的を達成するために、本発明は以下の手段を提供する。
【０００８】
［１］基布にパイル糸が植設されたパイル布帛からなる表面パイル層とバッキング層が接着一体化されてなるタイルカーペットにおいて、タイルカーペットの少なくとも一部に、前記タイルカーペットの面を図形、文字あるいは模様の形状で厚み方向に打ち抜いた部分に、打ち抜かれたタイルカーペットの裏面を表側として嵌め込んで、嵌め込み部が形成されたことを特徴とする階段用タイルカーペット。
【発明の効果】
【０００９】
［１］の発明では、タイルカーペットの少なくとも一部に、前記タイルカーペットの面を図形、文字あるいは模様の形状で厚み方向に打ち抜いた部分に、打ち抜かれたタイルカーペットの裏面を表側として嵌め込んで、嵌め込み部が形成されているので、階段を利用する人の安全を考慮して、後付けで防滑テープなど設けることなく滑り止めに貢献することができる。複数の矩形の嵌め込み部が形成された階段用タイルカーペットを用いる事ができる。すなわち、階段に敷設された階段用タイルカーペットの表面は、表面パイル層と嵌め込み部を有するので、滑り止めに貢献することができる。
【００１０】
また、嵌め込み部の大きさを大小組み合わせることで、幼児、子供から大人の足の大きさにまで対応することができる。さらに、嵌め込み部の数を増やしたり減らしたりすることができるとともに、嵌め込み部を設ける位置を、利用頻度や形態に応じて、例えば中央部に多く配置したりすることができる。このようにして、効果的に滑り止めに貢献することができる。
【００１１】
さらに、矢印や三角の形状で打ち抜き裏面を表側として嵌め込み嵌め込み部を形成し、この場合少なくとも階段の左側部分と右側部分に分け、矢印や三角の向きを左側部分と右側部分とで反対向きになるよう打ち抜き、裏面を表側として嵌め込むことで、階段を利用する人々の通る側を案内することができる。このようにして、昇り優先、降り優先などの案内情報としての機能を発揮することができる。
【００１２】
また、上述の防滑及び情報表示は、階段の踏み面毎にその目的に応じて自由に嵌め込み部を設ければよい。すなわち、各段とも同じ情報や模様でもよいし、別の情報や模様であってもよい。
【００１３】
さらに、必要に応じて、新たに嵌め込み部を形成したり、逆に嵌め込み部を元に戻したりすることで、防滑性を調整したり、別の情報を表示することができるので利用形態に合わせる自由度が高く、有効である。
【００１４】
また、タイルカーペットのバッキング層は、一般的に黒が多いが各種の色が付与されたタイルカーペットを組み合わせることで、意匠性が高く、優れた視認性を有する階段用タイルカーペットとしてもよい。さらに防滑性をあげるために、バッキング層の表面に防滑性のスプレーを噴霧したりしてもよい。
【図面の簡単な説明】
【００１５】
【図１】本発明の階段用タイルカーペットの一例を示す概略断面図である。
【図２】本発明の階段用タイルカーペットを敷設した階段側面を示す説明図である。
【図３】従来のタイルカーペットの一例を示す概略断面図である。
【図４】本発明の階段用タイルカーペットの一例を示す説明図である。
【図５】本発明の階段用タイルカーペットの一例を示す説明図である。
【図６】本発明の階段用タイルカーペットの一例を示す説明図である。
【発明を実施するための形態】
【００１６】
この発明に係る階段用タイルカーペットの一実施形態を図面に基づいて説明する。図１に示すように本発明の階段用タイルカーペット１は、基布２−２にパイル糸２−１が植設されたパイル布帛からなる表面パイル層２とバッキング層３が接着一体化されてなるタイルカーペットにおいて、タイルカーペットの少なくとも一部に、前記タイルカーペットの面を図形あるいは文字の形状で厚み方向に打ち抜いた部分に、打ち抜かれたタイルカーペットの裏面を表側として嵌め込んで、嵌め込み部４が形成されたことを特徴とする。一方、従来のタイルカーペットは、図３に示すように嵌め込み部４を有しない。
【００１７】
本発明の階段用タイルカーペット１は、公知の製造方法で造られたタイルカーペットに嵌め込み部４を形成したものであり、例えば、打ち抜き裁断機で打ち抜くことができ、打ち抜かれたタイルカーペットの裏面を表側として嵌め込むことができ、嵌め込み部４を形成できるものであれば特に限定はされない。また、タイルカーペットはループパイル、カットパイル、またはこれらの組合せのいずれであってもよい。
【００１８】
さらに、タイルカーペットの厚さは、特に限定されないが、一般に用いられている３ｍｍ〜１５ｍｍのものを用いるのが、実用的にも経済的にも好ましい。
【００１９】
また、打ち抜き裁断機は、特注の打ち抜き裁断機であっても、市販のテーブル打ち抜き裁断機であってもよく、適宜選択すればよい。このようにすることで簡便であるし、精度よく、繰返し同じ形状を早く打ち抜くことができる。
【００２０】
打ち抜く方向は、パイル糸２−１の側からでも、バッキング層３の側からのいずれであってもよいが、打ち抜き裁断機による裁断時に刃がタイルカーペットに当たる時に加わる力で、タイルカーペットがずれるおそれが少ないパイル糸２−１の側からが好ましい。このようにすることで、嵌め込み部４の外観品位を保つことができる。
【００２１】
打ち抜く形状は、図形、文字あるいは模様等であってよい。例えば、矩形、円形、半円、三日月、三角形、またはこれらの組合せなどを挙げることができる。打ち抜いた後に、打ち抜いたそのものを裏面を表側として嵌め込んでもよい。この場合は、図形、文字あるいは模様は対称であれは、どのようなものであってもよい。別のタイルカーペットを打ち抜いたものを裏面を表側として嵌め込んでもよい。この場合は、図形、文字あるいは模様は非対称であってもよい。好ましくは、打ち抜いた後に、打ち抜いたそのものを裏面を表側として嵌め込むのがよい。このように、別のタイルカーペットあるいは他の材料を用意する必要がなく、すなわち打ち抜いたタイルカーペットを利用することができるので、経済的である。
【００２２】
打ち抜かれたタイルカーペットのバッキング層３を表側として嵌め込み、嵌め込み部４を形成すればよい。嵌め込むには人手であっても、機械であってもよく、特に限定はされない。
【００２３】
このように、本発明に係る階段用タイルカーペット１は、タイルカーペットの少なくとも一部に、前記タイルカーペットの面を図形あるいは文字の形状で厚み方向に打ち抜いた部分に、打ち抜かれたタイルカーペットの裏面を表側として嵌め込んで、嵌め込み部４が形成されている。
【００２４】
図２に、本発明の階段用タイルカーペット１を敷設した階段を示す。階段６の各踏み面７に階段用タイルカーペット１が敷設され、床面は従来のタイルカーペット５が敷設されている。本発明の構成を採用することで、図２に示す階段用タイルカーペット１を敷設した階段では、階段を利用する人の安全を考慮して、後付けで防滑テープなど設けることなく滑り止めに貢献することができる。例えば、図４に示すように複数の矩形の嵌め込み部４が形成された階段用タイルカーペット１を用いることができる。すなわち、階段に敷設された階段用タイルカーペット１の表面は、表面パイル層２と嵌め込み部４を有するので、滑り止めに貢献することができる。
【００２５】
また、嵌め込み部４の大きさを大小組み合わせることで、幼児、子供から大人の足の大きさにまで対応することができる。さらに、嵌め込み部４の数を増やしたり減らしたりすることができるとともに、嵌め込み部４を設ける位置を、利用頻度や形態に応じて、例えば中央部に多く配置したりすることができる。このようにして、効果的に滑り止めに貢献することができる。このような例として、図５に示すように大小の複数の円形の嵌め込み部４が形成された階段用タイルカーペット１を用いる例を挙げることができる。
【００２６】
さらに、例えば図６に示すように矢印や三角の形状で打ち抜き裏面を表側として嵌め込み嵌め込み部４を形成し、この場合少なくとも階段の左側部分と右側部分に分け、矢印や三角の向きを左側部分と右側部分とで反対向きになるよう打ち抜き、裏面を表側として嵌め込むことで、階段を利用する人々の通る側を案内することができる。このようにして、昇り優先、降り優先などの案内情報としての機能を発揮することができる。
【００２７】
また、上述の防滑及び情報表示は、階段の踏み面毎にその目的に応じて自由に嵌め込みを設ければよい、すなわち、各段とも同じ情報とすることなく、各模様であったり、文字であったり別の情報を付与することできる。
【００２８】
さらに、必要に応じて、新たに嵌め込み部４を形成したり、逆に嵌め込み部４を元に戻したりすることで、防滑性を調整したり、別の情報を表示することができるので利用形態に合わせることができ自由度が高く、有効である。
【００２９】
また、タイルカーペットのバッキング層３は、一般的に黒が多いが各種の色、あるいは蛍光塗料が付与されたタイルカーペットを組み合わせることで、意匠性が高く、優れた視認性を有する階段用タイルカーペット１としてもよい。さらに防滑性をあげるために、バッキング層３の表面に防滑性のスプレーを噴霧したりしてもよい。
【００３０】
本発明において、パイル糸２−１の素材としては、特に限定されないが、ポリアミド繊維、ポリエステル繊維、ポリプロピレン繊維、アクリル繊維、レ−ヨン繊維等の繊維からなるもの等を使用することができ、その他麻、綿、羊毛等の天然繊維からなるもの等も使用できる。パイルの形態としてもカットパイルであっても、ル−プパイルであってもよい。
【００３１】
本発明に使用する基布３としては、特に限定されないが、ポリエステル繊維、ポリプロピレン繊維等の合成樹脂繊維からなる織布や不織布が好ましい。合成樹脂繊維からなる織布や不織布を用いることでバッキング層４が浸透するおそれがないので好ましい。
【００３２】
次に、バッキング層４としては、例えばポリ塩化ビニルペーストレジンを主とするバッキング層４を、少なくとも中間にガラス繊維布（布帛又は不織布）や、エステルクロスを介在させて内外二層に積層する構成にしてもよい。前記二層は、発泡させても非発泡であってもよいし、これらの組合せを採用してもよい。また、前記ポリ塩化ビニルペーストレジンには再生品を混ぜてもよし、適宜可塑剤、充填剤、安定剤、顔料など添加剤を配合してもよい。特に充填剤として炭酸カルシウム、水酸化アルミニウム、水酸化マグネシウム、フライアッシュ等を添加してバッキング層４として使用するのが一般的であるが、扱い易さとコストとの面から炭酸カルシウムが好ましい。
【実施例】
【００３３】
次に、本発明の具体的実施例について説明するが、本発明はこれらの実施例のものに限定されるものではない。
【００３４】
＜使用材料＞
表面パイル層・・・基布（ポリエステル繊維製スパンボンド不織布、目付１００ｇ／ｍ２）に、パイル糸（ナイロン繊維、２８００ｄＴｅｘ）をタフトした（パイル目付５００／ｍ２）ものに、低粘度塩化ビニル樹脂（樹脂１００質量に対し、炭酸カルシウム１２０質量部含有）を３００ｇ／ｍ２塗布、乾燥し目止めを施したもの。
バッキング層・・・塩化ビニル−酢酸ビニル共重合体のポリマーと可塑剤（ＤＯＰ（ジオクチルフタレート））との混合物に、充填剤（炭酸カルシウム）、安定剤、顔料等添加剤を配合した組成物に、目付３５ｇ／ｍ２のガラス繊維からなる不織布を中間に積層したもの。
【００３５】
＜評価方法＞
官能評価・・・階段を昇降して滑り止め効果があると感じるかどうかを一対比較法で評価し、被験者を１０人として、８０％以上の人が滑り止め効果があると感じたものを合格とした。なお、どこも打ち抜くことなく嵌め込み部を形成しなかった比較例１を基準とした。
【００３６】
＜実施例１＞  
目付３５ｇ／ｍ２のガラス繊維からなる不織布を中間に積層した、塩化ビニル−酢酸ビニル共重合体のポリマーと可塑剤（ＤＯＰ（ジオクチルフタレート））との混合物に充填剤（炭酸カルシウム）、安定剤、顔料等添加剤を配合した組成物シートを、離形性シート（ベルト）の上に載せて、その上に表面パイル層を積層し、温度１６０℃の条件で圧着ロールによって熱圧着後冷却したカーペットを、２７ｃｍ×１３０ｃｍの長方形に裁断して厚さ６．０mmのタイルカーペットを作り、図４に示すように３ｃｍ×１１０ｃｍの長方形に３箇所打ち抜き、打ち抜いたものをパイル糸を下側にして嵌め込むことで、嵌め込み部を形成して階段用タイルカーペット１を得た。該階段用タイルカーペット１を図２に示すように敷設し、１０人が階段を昇降して比較例１と比較し評価した結果１０人とも滑り止め効果があると感じていた。
【００３７】
＜実施例２＞
実施例１において、図５に示すような大小さまざまな円を打ち抜き、打ち抜いたものをパイル糸を下側にして嵌め込むことで、嵌め込み部を形成した以外は、実施例１と同様にして階段用タイルカーペット１を得て、階段に敷設した。１０人とも滑り止め効果があると感じていた。
【００３８】
＜実施例３＞
実施例１において、図６に示すような矢印の形に打ち抜き、打ち抜いたものをパイル糸を下側にして嵌め込むことで、嵌め込み部を形成した以外は、実施例１と同様にして階段用タイルカーペット１を得て、階段に敷設した。利用者１０人で階段を昇降したところ、左右のどちらを利用したらよいか見て分かるので、１０人とも安心して利用できると感じていた。また、９人が滑り止め効果があると感じていた。
【００３９】
＜比較例１＞
実施例１において、どこも打ち抜くことなく嵌め込み部を形成しなかった以外は実施例１と同様にしてカーペットを得た。階段を昇降して、滑り止め効果を評価する基準とした。
【産業上の利用可能性】
【００４０】
オフィスビルをはじめ、家庭用の階段に好適に用いられ、階段を利用する人が歩行する際に、防滑テープなど設けることなく滑り止めに効果を発揮する。さらに、利用者の比較的多いオフィスビルでは昇り優先、下り優先などの案内表示により、見える化を実現できるので、不用意な混雑を低減することができるので、快適に階段を利用することができる。
【符号の説明】
【００４１】
１・・・階段用タイルカーペット
２・・・表面パイル層
２−１・・・パイル糸
２−２・・・基布
３・・・バッキング層
４・・・嵌め込み部
５・・・従来のタイルカーペット
６・・・階段
７・・・踏み面
【図１】
2014100195.tif 000003
【図２】
2014100195.tif 000004
【図３】
2014100195.tif 000005
【図４】
2014100195.tif 000006
【図５】
2014100195.tif 000007
【図６】
2014100195.tif 000008